(57)【要約】      （修正有）【課題】圧着子の滑りやすさを防止でき、コストアップにもならない爪変形矯正装具用圧着子を提供する。【解決手段】爪変形矯正装具用圧着子は、爪変形矯正装具を押し付ける先端部が平形形状をなし、少なくともその表面部がステンレス材料よりも硬度の大きな押し付け部２と、この押し付け部２を把持するための把持部４とからなる。押し付け部２は、セラミック材料、ガラス材料、酸化物単結晶材料、ステンレス材料よりも高硬度の金属材料または金属材料表面にステンレス材料よりも硬度の大きな酸化物薄膜、炭化物薄膜または金属薄膜が形成されている構造としてもよい。【選択図】図１
0003195770.tif 000002
【実用新案登録請求の範囲】
【請求項１】
爪変形矯正装具を押し付ける先端部が平形形状をなし、少なくともその表面部がステンレス材料よりも硬度の大きな押し付け部と、前記押し付け部を把持するための把持部とからなることを特徴とする爪変形矯正装具用圧着子。
【請求項２】
前記押し付け部は、セラミック材料、ガラス材料、酸化物単結晶材料、ステンレス材料よりも高硬度の金属材料または金属材料表面にステンレス材料よりも硬度の大きな酸化物薄膜、炭化物薄膜または金属薄膜が形成されていることを特徴とする請求項１に記載の爪変形矯正装具用圧着子。
【請求項３】
前記押し付け部の表面は、すりガラス形状またはやすり形状からなることを特徴とする請求項1または2に記載の爪変形矯正装具用圧着子。
【考案の詳細な説明】
【技術分野】
【０００１】
本考案は、巻き爪や陥入爪等の爪の変形を矯正するための矯正装具を接着固定するときに要する爪変形矯正装具用圧着子に関する。
【背景技術】
【０００２】
巻き爪、陥入爪を矯正するための矯正装具および方法として、従来以下のものがある。一つはＶＨＯ法と呼ばれる方法である。ＶＨＯ法とは、
Virtuose（名人）、Human（人間の）、Orthonyxie（まっすぐ）の略で、命名は１９７９年であるが、この方法自体は半世紀以上前からドイツで行われてきた伝統的手法である。この手法は、金属製のフックを爪の両側縁に引っ掛け、ワイヤーを捻じることにより、爪中央部方向に牽引する力を生じさせて爪の湾曲を矯正する方法である。
他の矯正具としては、特許文献１に開示された矯正具および方法がある。この矯正具の構造はコの字状であり、爪の両外側縁に挿入される一対の端子、この一対の端子の間に延び、両端が一対の端子に固定され、一対の端子を弾性力により引き上げることにより、爪の両外側縁を引き上げる超弾性ワイヤーがあり、さらにこの超弾性ワイヤーに設けられ、爪上に配置されることにより、超弾性ワイヤーの中間部と爪との間に間隔を置くようにして超弾性ワイヤーの両端が一対の端子に作用する弾性力を向上させるブラケットを備えている構成からなる。この具体的な構成としては、金属製の幅数ｍｍで、コの字に湾曲した引っ掛け具を爪の両側縁に引っ掛け、それをワイヤーで爪の中央部に引っ張り、ブラケットに設けられたネジにより爪中央部方向に牽引する力を調整して爪の湾曲を矯正する方法である（特許文献１参照）。
しかし、上記の両方ともに両側の爪の側縁（以下、爪縁とよぶ。）にフックまたは引っ掛け具をかける必要がある。このためフックをかける爪縁の位置についてはほぼ同じ位置とせざるを得ない。このため、それぞれの爪縁についてフックをかけても痛みがなく、かつ最も効果的に矯正できる箇所をそれぞれ自由に選ぶことができなかった。また、陥入爪では、効果的に矯正できる爪縁は肉芽で覆われていることが多く、その為フックを掛けるときに痛みを伴い麻酔を要する場合がしばしばあり、医師による治療が必須となる。
また、特許文献２には、爪を軟化させてから矯正する矯正具および方法も開示されている（特許文献２参照）。この装具は、システイン、チオグリコール酸及びチオグリコール酸塩からなる群より選択される少なくとも１種の爪軟化剤により軟化した変形爪の矯正の際に使用される針状部材を含む矯正具であって、この針状部材がヤング率３０〜７５ＧＰａで、チタン、モリブデン、ジルコニウム及びスズからなるβ型チタン合金であり、かつ針状部材の少なくとも一端が圧延されて平坦化しており、圧延されて平坦化している部分が略コの字型又は略Ｕ字型の鈎形状を形成している構成からなる。この構成ではβ型チタン合金又はチタン系アモルファス合金を針状部材に用いており、所望の弾性、圧延性を与えることができる。その結果、還元作用を有する爪軟化剤を適用して変形爪の治療を行う場合に、従来よりも簡便、短時間かつ爪の損傷を少なくして治療することができる。
【先行技術文献】
【特許文献】
【０００３】
【特許文献１】実用新案登録第３１８８１３０号
【特許文献２】特開２０１２−１７０５１０号
【考案の概要】
【考案が解決しようとする課題】
【０００４】
１本のワイヤー状の爪変形矯正装具を用いる場合には、一方の端部で爪に引っ掛け、他方の端部から一定の長さ部分に掛けて爪に接着固定することが必要である。この場合、巻き爪にフック部を引っ掛けた後に、他方の端部から一定長さ部分を爪に接着固定するためには、反発しようとする爪変形矯正装具を爪に強制的に圧着した状態で接着剤が固まるまでの間、爪変形矯正装具を保持する必要がある。この保持には圧着子を用いるが、圧着子には接着剤が付着し難く、高強度で、繊細な作業ができる構造であることが要求される。このため一般にステンレス材が使われている。爪変形矯正装具の多くはステンレスまたはチタン合金のワイヤーが使われている。したがって両者とも硬い材料であることから、圧着子で接着固定するまでの間押し付けておく作業は、圧着子が滑りやすく、熟練者でも失敗することがある面倒な作業であった。
この問題を解決するために、特許文献１ではワイヤーの表面に滑り止め加工をおこなっている。これにより滑り止め防止は可能となったが、このような滑り止め加工をするためにコストアップになるという課題が生じている。
【課題を解決するための手段】
【０００５】
上記課題を解決するために本考案の爪変形矯正装具用圧着子は、爪変形矯正装具を押し付ける先端部が平形形状をなし、少なくともその表面部がステンレス材料よりも硬度の大きな押し付け部と、この押し付け部を把持するための把持部とからなる。
この場合において、上記押し付け部は、セラミック材料、ガラス材料、    酸化物単結晶材料、ステンレス材料よりも高硬度の金属材料または金属材    料表面にステンレス材料よりも硬度の大きな酸化物薄膜、炭化物薄膜また    は金属薄膜が形成されている構造であってもよい。
さらに、上記押し付け部の表面は、すりガラス形状またはやすり形状か  らなっていてもよい。
【考案の効果】
【０００６】
このような構造とすることにより、ステンレス材料からなる爪変形矯正装具を爪の表面に接着剤により固定する場合に、接着剤が固化するまで安定して、かつ確実に爪変形矯正装具を押し付けておくことができる。また、把持部を有しているので、押し付けるときに手などが傷つくこともない。
押し付け部がステンレス材料よりも硬度が大きいので、押し付け部でステンレス材料からなる爪変形矯正装具を圧着子で押し付けた時に、ステンレス材料の方が一部押しつぶされるために安定して押し付けておきことができる。この結果、従来に比べて爪変形矯正装具を爪の表面に密着した状態で接着固化できるので、長期間巻き爪を広げる方向の力を与えることができ、巻き爪の矯正を確実にすることができる。
また、表面をすりガラス形状またはやすり形状にしておくと、より確実に押しつぶすことができるので、さらに安定して押し付けておくことができる。
【図面の簡単な説明】
【０００７】
【図１】図１は、本考案の実施の形態に係る爪変形矯正装具用圧着子の斜視図である。
【図２】図２は、同実施の形態に係る圧着子の先端部拡大斜視図である。
【図３】図３は、同実施の形態に係る圧着子を用いて、モデル的な巻き爪に対して矯正装具を押し付けている状態の写真である。
【考案を実施するための形態】
【０００８】
以下、本考案の爪変形矯正装具用圧着子について図面を参照しながら詳細に説明する。図１は、本考案の実施の形態に係る爪変形矯正装具用圧着子の斜視図である。図２は、同実施の形態に係る圧着子の先端部拡大斜視図である。図３は、同実施の形態に係る圧着子を用いて、巻き爪のモデル爪に対して爪変形矯正装具５を爪変形矯正装具長圧着子１により押し付けている状態の写真である。
図１に示すように本考案の爪変形矯正装具用圧着子１は、爪変形矯正装具５を押し付ける先端部が平形形状をなし、少なくともその表面部がステンレス材料よりも硬度の大きな押し付け部２と、この押し付け部を把持するための把持部４とからなる。押し付け部２は、その材質がセラミック材料、ガラス材料、酸化物単結晶材料、ステンレス材料よりも高硬度の金属材料または金属材料表面にステンレス材料よりも硬度の大きな酸化物薄膜、炭化物薄膜または金属薄膜が形成されている構造でよい。さらに、押し付け部２の表面は、すりガラス形状またはやすり形状からなっていることが好ましい。例えば、精密やすりを所定長さに切断して用いることもできる。
なお、本実施の形態では、押し付け部２及びこの押し付け部２を把持部４に強固に固定するための押し付け部補強部３が把持部４を中心として両側に設けられており、一方を使用して押し付け性能が劣化したら他方を使用できるようになっている。
押し付け部２は、その形状が幅約２ｍｍ、厚さ約１ｍｍ、長さ約４ｍｍで、ステンレス材料より高硬度かつ微細な凹凸構造を有していることが好ましい。しかし、必ずしも微細な凹凸構造を有する必要はなく、ステンレス材料よりも高硬度であれば、押し付けた時にステンレス材料表面に傷がつき、それによりワイヤー状の爪変形矯正装具を安定して押し付けておくことができる。なお、形状についても上記寸法に限定されるものではなく、ステンレス材料からなる爪変形矯正装具５を押しつけて固定しておくことができれば、幅、厚さは任意に設定してもよい。また、長さについても押しつけ部補強部３の長さに合わせて任意に設定することができる。
次に、本実施の形態に係る爪変形矯正装具用圧着子１を用いて爪の表面に爪変形矯正装具５を接着固定する方法について、図３を用いて説明する。図３は、実際の爪で実施しているのではなく、巻き爪に見立てたプラスチック製のモデル爪６の表面にステンレス材料からなる爪変形矯正装具５を、本実施の形態に係る爪変形矯正装具用圧着子１で沿わせて接着固定する状態を示す写真である。写真からわかるように、巻き爪の形状に見立てたモデル爪６の表面にあけた孔に、爪変形矯正装具５の一方を加工してフック形状にしたフック７を挿入し、その後爪変形矯正装具用圧着子２で押しつけながら爪変形矯正装具５を沿わせていき、全体を沿わせた状態で接着剤が固化する間、押しつけておくことにより、簡単な操作で巻き爪の治療をすることができる。
従来用いていたステンレス製の爪変形矯正装具用圧着子では、爪変形矯正装具もステンレス製であり、同一材料であったことから押しつけても爪変形矯正装具には傷等が生じず、滑りやすいままであった。このため、接着剤が固化する時間（約２０秒間）、安定して押しつけておくことができなかった。しかし、本考案ではステンレス材料よりも高度の大きな材料を爪変形矯正装具用圧着子１の押しつけ部２して用いているため、爪変形矯正装具５の表面に微細な傷が生じ、これにより安定して押しつけておくことができる。
なお、ステンレス材料に対して、大きな摩擦力を生じる材質、例えばゴムなどを用いることも考えられるが、爪変形矯正装具５を装着するためには爪変形矯正装具用圧着子１の押しつけ部２の先端幅はあまり大きくすることは作業性が悪くなり好ましくない。作業性を考慮すれば２ｍｍ程度以下とすることが好ましい。このような幅狭の押しつけ部２をゴムなどで作っても、押しつけ力が十分に作用せず爪変形矯正装具を爪の表面に沿って沿わせて固定しておくことができない。したがって、摩擦力が大きくてもゴムなどのような材料を押しつけ部に用いることは難しい。
なお、本考案の押しつけ部の材料は、ステンレス材料より硬度が高ければ、ヤスリに限らずセラミック、ガラス、酸化物単結晶材料或いは硬度の大きな金属等の材質であってもよい。
【産業上の利用可能性】
【０００９】
本考案の爪変形矯正装具圧着子は、巻き爪になった患者に苦痛を与えることなく巻き爪などの陥入爪の矯正を行う分野に利用可能である。
【符号の説明】
【００１０】
１  爪変形矯正装具用圧着子
２  押し付け部
３  押し付け部補強部
４  把持部
５  爪変形矯正装具
６  モデル爪
７  フック
【図１】
0003195770.tif 000003
【図２】
0003195770.tif 000004
【図３】
0003195770.tif 000005